(57)【要約】【課題】耐火区画を形成するための間仕切り壁を梁の直下に設置する場合でなくても、配管貫通処理の工事が不要で施工性がよく、また、竣工後であっても多少であれば間仕切り壁の設置位置の変更も可能で居住者の要求に柔軟に対応できる耐火区画壁の取付構造を得る。【解決手段】鉄骨造でＨ形鋼などからなる上階梁２に設置される耐火区画壁の取付構造において、上階梁２の下フランジ２ａの下に水平方向の面状部材４に設置し、この水平方向の面状部材４に床上から立ち上がる間仕切り壁１を接続する。【選択図】        図１
2010047931.tif 000002
【特許請求の範囲】
【請求項１】
鉄骨造でＨ形鋼などからなる上階梁に設置される耐火区画壁の取付構造において、上階梁の下フランジの下に面状部材を水平方向に設置し、この面状部材に床上から立ち上がる間仕切り壁を接続することを特徴とした耐火区画壁の取付構造。
【請求項２】
水平方向の面状部材は、上階梁の下フランジに直接設置され、床上から立ち上がる間仕切り壁と一体となって梁下近傍では断面Ｌ字形の耐火区画壁を形成する請求項１記載の耐火区画壁の取付構造。
【請求項３】
水平方向の面状部材は、上階梁の下フランジの下面から下方垂直方向に突設した面状部材の下部に取り付けられて、床上から立ち上がる間仕切り壁と一体となって梁下近傍では断面逆Ｔ字形の耐火区画壁を形成する請求項１記載の耐火区画壁の取付構造。
【発明の詳細な説明】
【技術分野】
【０００１】
本発明は、鉄骨造の建物における居室内に耐火区画を形成するための耐火区画壁の取付構造に関するものである。
【背景技術】
【０００２】
鉄骨造の建築物において、居室内に間仕切り壁を設置することによって耐火区画を形成する場合、従来、一般的には特許文献１にも示すように該当階の床上から立ち上がる間仕切り壁を、上階の床を支持する梁（大梁または小梁）の直下に直接接続する構造がある。
【０００３】
また、該当階の床上から立ち上げた間仕切り壁を上階床の下面に直接接続する構造や、該当階の床上から立ち上げた間仕切り壁を天井の下面に直接接続する構造もある。
【特許文献１】特開２００３−６４８０４号公報
【発明の開示】
【発明が解決しようとする課題】
【０００４】
耐火区画のための間仕切り壁を設けるに際し、梁の直下に設置する場合や梁から離れた場所に設置する場合は、障害となる部材がないから基準通りの施工が可能であるが、図３に示すように実際に多くの間仕切り壁１は柱の芯ではなく端に合わせて設置されるため、上階梁２の直下ではなく上階梁２から少しだけ水平方向にずれた位置に設置されることになる。
【０００５】
このため、上階梁２と間仕切り壁１とが重なった部分の間に狭い隙間１０が生じ、この部分の耐火処理が困難になる。
【０００６】
また、この箇所には設備用の配管３が存在するため、この配管３を貫通させて間仕切り壁１を設置する必要があり、貫通配管の両端処理も困難である。
【０００７】
特に実際の工事現場では、工期の都合によって間仕切り壁の設置位置を詳細に決定する前に、天井配管工事が行われることがあり、間仕切り壁の取付工事が配管工事の後になるため、施工が容易ではない。
【０００８】
さらに、竣工後においても、天井下の部屋の都合で間仕切り壁の設置位置を少しだけ変更したいような場合、天井裏部分の壁工事も行う必要があり、かかる場合、特に配管貫通処理の工事は大変である。
【０００９】
本発明は前記不都合を解消するものとして、耐火区画を形成するための間仕切り壁を梁の直下に設置する場合でなくても、配管貫通処理の工事が不要で施工性がよく、また、竣工後であっても多少であれば間仕切り壁の設置位置の変更も可能で居住者の要求に柔軟に対応できる耐火区画壁の取付構造を提供するものである。
【課題を解決するための手段】
【００１０】
請求項１記載の本発明は、鉄骨造でＨ形鋼などからなる上階梁に設置される耐火区画壁の取付構造において、上階梁の下フランジの下に面状部材を水平方向に設置し、この面状部材に床上から立ち上がる間仕切り壁を接続することを要旨とするものである。
【００１１】
請求項２記載の本発明は、水平方向の面状部材は、上階梁の下フランジに直接設置され、床上から立ち上がる間仕切り壁と一体となって梁下近傍では断面Ｌ字形の耐火区画壁を形成することを要旨とするものである。
【００１２】
請求項３記載の本発明は、水平方向の面状部材は、上階梁の下フランジの下面から下方垂直方向に突設した面状部材の下部に取り付けられて、床上から立ち上がる間仕切り壁と一体となって梁下近傍では断面逆Ｔ字形の耐火区画壁を形成することを要旨とするものである。
【００１３】
請求項１記載の本発明によれば、間仕切り壁を上階梁の下フランジに直接接続せず、下フランジの下に取り付けた水平方向の面状部材を介してその下方に接続したから、梁と間仕切り壁との間に狭小な隙間が生じることがなく、また、配管が間仕切り壁を貫通することもなく、梁上方での処理を行わずにすみ、施工性が向上する。
【００１４】
請求項２記載の本発明によれば、水平方向の面状部材が上階梁の下フランジに直接設置されるから、上階梁からの水平の突出方向および突長を設定することにより、この面状部材に上端が接続する間仕切り壁の配設位置を梁の直下以外の任意の位置に設定でき、竣工後であっても現場での要求に柔軟に対処できる。
【００１５】
請求項３記載の本発明によれば、梁下に垂直方向の面状部材を設けたうえで、その下に水平方向の面状部材を設け、この水平方向の面状部材の下面に床面から立ち上がる間仕切り壁の上端が接合する。よって、水平方向の面状部材を天井位置に設置すれば、床面から立ち上がる間仕切り壁を床面から天井の間に位置させることができ、この場合に、水平方向の面状部材の幅の範囲内で間仕切り壁の取付位置を竣工後であっても自由に変更できる。
【発明の効果】
【００１６】
以上述べたように本発明の耐火区画壁の取付構造は、耐火区画を形成するための間仕切り壁を梁の直下に設置するのではなく、梁の直下から水平方向に少しだけずれた位置に設置する場合、梁の下に水平方向の面状部材を設け、この面状部材に間仕切り壁を取り付けるようにしたから、梁を貫通している配管を間仕切り壁にさらに貫通させるなどの配管貫通処理の工事が不要で施工性がよく、また、竣工後であっても面状部材の幅の範囲内におさまる多少の幅であれば間仕切り壁の設置位置の変更も可能で居住者の要求に柔軟に対応できるものである。
【発明を実施するための最良の形態】
【００１７】
以下、図面について本発明の実施形態を詳細に説明する。図１は本発明の耐火区画壁の実施形態を示す第１実施形態の縦断側面図で、鉄骨造の建物において居室内に耐火区画を形成する場合で、上階梁２の下フランジ２ａの下面に面状部材４を水平方向に設置する。
【００１８】
この水平方向の面状部材４の幅は例えば下フランジ２ａの幅とほぼ等しいものとし、この面状部材４の下面に、該当階の床面から立ち上げた間仕切り壁１の上端を付き合わせて接合する。
【００１９】
この接合部は、該当階の天井６よりも上方位置とする。これにより上階梁２の下部近傍で天井裏に間仕切り壁１の上一部と、水平方向の面状部材４とによって断面Ｌ字形の耐火区画壁の一部が形成される。
【００２０】
そして、この断面Ｌ字形の耐火区画壁と、床面から立ち上がる間仕切り壁１とが一体となって居室内に例えば廊下と事務室とを区画する耐火区画壁が形成される。水平方向の面状部材４の材質は、間仕切り壁１と同様のものとする。
【００２１】
これにより、耐火区画壁はその全てが上階梁２の下方に設置されることになり、上階梁２の側方での処理もなく、配管３を貫通させる工事も行わずにすむ。
【００２２】
図２は第２実施形態を示し、前記第１実施形態では水平方向の面状部材４を上階梁２の下フランジ２ａの下面に直接設置したが、第２実施形態では下フランジ２ａの下面に垂直方向の面状部材７を設置し、さらに、この垂直方向の面状部材７の下端に水平方向の面状部材８を設置した。
【００２３】
水平方向の面状部材８は天井６と同一面に配置し、この水平方向の面状部材８と垂直方向の面状部材７とで梁下近傍の天井裏に逆Ｔ字形の耐火区画壁を形成し、この水平方向の面状部材８の下面に該当階の床面から立ち上がる間仕切り壁１の上端を接合する。
【００２４】
これにより、天井裏の逆Ｔ字形の耐火区画壁と、床上から立ち上がる間仕切り壁５とが一体となって居室内に例えば廊下と事務室とを区画する耐火区画壁が形成される。水平および垂直の面状部材８、７の材質は、間仕切り壁１と同等の耐火性能を有するものとする。
【００２５】
第２実施形態では、水平方向の面状部材８の幅は、例えば上階梁２の下フランジ２ａの先端から３００ｍｍ程度水平方向に突出する長さとして、構造上、床ではなく梁の耐火区画とする。
【００２６】
前記水平方向の面状部材８に接合する間仕切り壁１は、水平方向の面状部材８が前記のように幅広に形成してあるから、その取付位置を、水平方向の面状部材８の幅の範囲内で自由に移動変更できる。よって、詳細な位置決定の前であっても区画壁の施工が可能であり、また、竣工後であっても水平方向の面状部材８の幅の範囲内であれば移動可能である。
【図面の簡単な説明】
【００２７】
【図１】本発明の耐火区画壁の取付構造の第１実施形態を示す縦断側面図である。
【図２】本発明の耐火区画壁の第２実施形態を示す縦断側面図である。
【図３】従来の耐火区画壁を示す縦断側面図である。
【符号の説明】
【００２８】
１  間仕切り壁                  ２  上階梁
２ａ  下フランジ                ３  配管
４  水平方向の面状部材          ６  天井
７  垂直方向の面状部材          ８  水平方向の面状部材
10  隙間
【図１】
2010047931.tif 000003
【図２】
2010047931.tif 000004
【図３】
2010047931.tif 000005